(57)【要約】【課題】電源を接続するだけで自動的に動作することができ、しかも連続して使用しても何ら不都合が発生しない緊急地震速報受信装置を提供する。【解決手段】ケースの内部にメイン基板とＦＭ受信基板と、が備えられ、前記メイン基板は、緊急地震速報信号を検出する緊急地震速報検出部と、前記緊急地震速報信号を受信した場合に装置全体の動作を制御するＣＰＵと、前記緊急地震速報信号を増幅してスピーカを駆動する出力アンプと、前記緊急地震速報信号を増幅してＬＥＤを点灯するＬＥＤ回路と、が備えられ、前記ケースは、有底の箱状に形成された底面に凹部が形成され、前記凹部内に受信周波数を選定する操作スイッチと、前記出力アンプを調整するボリュームと、を備える構成とした。【選択図】図1
0003154579.tif 000002
【実用新案登録請求の範囲】
【請求項１】
ケースの内部にメイン基板と、ＦＭ受信部を有するＦＭ受信基板と、が備えられ、
前記メイン基板は、前記ＦＭ受信部に接続されＦＭ放送より緊急地震速報信号の報知音を検出する緊急地震速報検出部と、前記緊急地震速報検出部に接続され前記緊急地震速報信号の報知音を受信した場合に装置全体の動作を制御するＣＰＵと、前記ＣＰＵに接続され前記緊急地震速報信号を増幅してスピーカを駆動する出力アンプと、前記ＣＰＵに接続され前記緊急地震速報信号を増幅してＬＥＤを点灯するＬＥＤ回路と、が備えられ、
前記ケースは、有底の箱状に形成された底面の一部が内側に引っ込んだ凹部に形成され、前記凹部内に前記ＦＭ放送の受信周波数を選定する操作スイッチと、前記出力アンプの増幅度を設定するボリュームと、が備えられたことを特徴とする緊急地震速報受信装置。
【請求項２】
前記緊急地震速報検出部は、前記緊急地震速報信号に含まれるマーク信号およびスペース信号を識別し、復調された信号を２値化する２値化手段と、
前記２値化手段が２値化した信号と、前記マーク信号と同じ周波数を有する周期信号との相互相関をとるマーク信号に関する相互相関手段と、
前記２値化手段が２値化した信号と、前記スペース信号と同じ周波数を有する周期信号との相互相関をとるスペース信号に関する相互相関手段と、
前記マーク信号に関する相互相関手段の出力信号の２乗値または絶対値と、前記スペース信号に関する相互相関手段の出力信号の２乗値または絶対値とを比較する比較手段と、
前記比較手段により比較した信号から緊急地震速報信号を検出する検出手段と、
が備えられたことを特徴とする請求項１に記載の緊急地震速報受信装置。
【請求項３】
前記ＣＰＵの入力側には、前記出力アンプのレベルを設定するボリュームと前記ＦＭ放送の受信周波数を設定する操作スイッチが接続され、
前記ＣＰＵの出力側には、前記ＦＭ放送の受信周波数を表示する液晶表示部が接続された、ことを特徴とする請求項１に記載の緊急地震速報受信装置。
【考案の詳細な説明】
【技術分野】
【０００１】
本考案は、大地震発生時に送信される緊急地震速報の信号を受信して警報を発する緊急地震速報受信装置に関する。
【背景技術】
【０００２】
近年、大規模地震やこの種の緊急地震速報受信装置は、電源コードを介して商用電源コンセントに接続され、常時商用電源から給電されて受信状態になっており、緊急警報信号を受信した場合に商用電源と付属のコンセントの間に介装されたスイッチ回路をオン状態に切り替えて、付属のコンセントに接続されたラジオ受信機やテレビジョン受信機を自動的に立ち上げて警報信号を発したり、画面に表示したりしている。特に最近は、大地震が発生した場合に、伝達速度が速く揺れの小さなＰ波を感知し、揺れの大きいＳ波が到達する直前に当該地域の放送局が緊急地震速報信号を放送し、当該地域の住民がこの放送を緊急地震速報受信装置で聞くことにより、大きな揺れに備えようとする試みがなされるようになった。この緊急地震速報信号を受信する装置として、特許文献１に示すような緊急警報受信機があった。
【０００３】
この緊急警報受信機は、緊急警報信号を受信する緊急警報受信回路と、放送信号を受信する放送受信回路と、上記緊急警報信号と上記放送信号とを含む信号が入力され、当該信号を選択して出力する切り替えスイッチと、上記切り替えスイッチは、上記緊急警報受信回路が上記緊急警報信号を受信したした場合は、上記放送信号から上記緊急警報信号に切り替えることを特徴とするものである。
【先行技術文献】
【特許文献】
【０００４】
【特許文献１】特開２００８-１６０７８９号公報
【考案の概要】
【考案が解決しようとする課題】
【０００５】
しかしながら、特許文献１に示す緊急警報受信機にあっては、通常は、ラジオとして使用するものであるから、使用時は受信機として動作していても不使用時は受信機として動作しておらず、この間に緊急警報の放送があった場合は受信できないという問題があった。そのため、無理に連続使用した場合には深夜などは音量を絞っても音がうるさく、消費電力も多くなるという不都合も発生した。また、この緊急警報受信機はラジオとして使用するため、操作に便利なように、スイッチやボリューム類は前面若しくは上面に取付けられているので、幼児などがいたずらし易く、一度設定したものをいじってしまい、緊急警報の放送があっても聞くことができない場合が発生する惧れもあった。
【０００６】
また、この緊急警報受信機にあっては、ＡＭ/ＦＭ受信機能を持ち、防災無線放送の受信機能も備え、緊急警報放送時にＡＭ/ＦＭや防災無線放送から切り替えスイッチで緊急警報信号に切り替えるものであるから、切り替えスイッチが複雑となると共に防災無線放送の受信機能も備えるためコスト的にも高いものとなっていた。
【０００７】
さらに、通常のＡＭ/ＦＭ放送周波数または防災無線放送周波数より、切り替えスイッチで緊急地震速報周波数に切り替えるため、切り替えスイッチによっては切り替え処理に時間がかかり、防災無線放送に切り替える場合にはあまり問題がないが、地震のように一刻を争うような場合には、この遅れが大きなダメージを与えてしまう懸念があった。
【０００８】
本考案は前述した従来の問題点鑑みなされたものであり、電源を接続するだけで自動的に動作することができ、しかも連続して使用しても何ら不都合が発生せず、安心して使用でき、さらに受信機能を単一化することにより極めてその処理が早く、しかも性能を損なうことのない緊急地震速報受信装置を提供するものである。
【課題を解決するための手段】
【０００９】
上記課題を解決するため、請求項１の考案にあっては、  ケースの内部にメイン基板と、ＦＭ受信部を有するＦＭ受信基板と、が備えられ、前記メイン基板は、前記ＦＭ受信部に接続されＦＭ放送より緊急地震速報信号の報知音を検出する緊急地震速報検出部と、前記緊急地震速報検出部に接続され前記緊急地震速報信号の報知音を受信した場合に装置全体の動作を制御するＣＰＵと、前記ＣＰＵに接続され前記緊急地震速報信号を増幅してスピーカを駆動する出力アンプと、前記ＣＰＵに接続され前記緊急地震速報信号を増幅してＬＥＤを点灯するＬＥＤ回路と、が備えられ、前記ケースは、有底の箱状に形成された底面の一部が内側に引っ込んだ凹部に形成され、前記凹部内に前記ＦＭ放送の受信周波数を選定する操作スイッチと、前記出力アンプの増幅度を設定するボリュームと、が備えられたことを特徴とするものである。
【００１０】
また、請求項２の考案にあっては、前記緊急地震速報検出部は、前記緊急地震速報信号に含まれるマーク信号およびスペース信号を識別し、復調された信号を２値化する２値化手段と、前記２値化手段が２値化した信号と、前記マーク信号と同じ周波数を有する周期信号との相互相関をとるマーク信号に関する相互相関手段と、前記２値化手段が２値化した信号と、前記スペース信号と同じ周波数を有する周期信号との相互相関をとるスペース信号に関する相互相関手段と、前記マーク信号に関する相互相関手段の出力信号の２乗値または絶対値と、前記スペース信号に関する相互相関手段の出力信号の２乗値または絶対値とを比較する比較手段と、前記比較手段により比較した信号から緊急地震速報信号を検出する検出手段とを備えたことを特徴としている。
【００１１】
さらに、請求項３の考案にあっては、前記ＣＰＵの入力側には、前記出力アンプのレベルを設定するボリュームと前記ＦＭ放送の受信周波数を設定する操作スイッチが接続され、前記ＣＰＵの出力側には、前記ＦＭ放送の受信周波数を表示する液晶表示部が接続された、ことを特徴とするものである。
【考案の効果】
【００１２】
本考案によれば、電源を接続するだけで自動的に動作することができ、しかも連続して使用しても何ら不都合が発生せず、幼児などが簡単にいじれないので安心して使用でき、消費電力も僅かであり、受信機能を単一化することにより極めてその処理が早く、しかも性能を損なうことない緊急地震速報受信装置を提供できるものである。
【図面の簡単な説明】
【００１３】
【図１】本考案に係る緊急地震速報受信装置を上方から見た斜視図である。
【図２】本考案に係る緊急地震速報受信装置を上方から見た斜視図である。
【図３】本考案に係る緊急地震速報受信装置の構成を示すブロック図である。
【図４】本考案に係る緊急地震速報検出部の構成を示すブロック図である。
【図５】本考案に係る緊急地震速報受信装置の動作を示すフローチャートである。
【考案を実施するための形態】
【００１４】
以下、本考案の実施形態を添付図面に基づいて説明する。図１および図２は本考案に係る緊急地震速報受信装置を斜視図あり、この緊急地震速報受信装置はケース１内に、図３に示すメイン基板１０とＦＭ受信基板２０が収納されており、このメイン基板１０にはケース１の上面側に取付けられたスピーカ２が接続されており、さらにＦＭ受信基板２０にはアンテナ３が接続されるものである。
【００１５】
この緊急地震速報受信装置のケース１は、図１に示すように、プラスチック材料などから有底箱状に形成され、コーナー部分は面取り加工がなされている。このケース１の前面には、後述する赤色表示灯１４と青色表示灯１５が取付けられており、上面のコーナー部付近にはスピーカ２用の複数の小孔が設けられ、この内側にスピーカ２が取付けられている。また、背面からは紐状のアンテナ３が引き出され、ＡＣアダプタ４が接続されるコネクタ（不図示）が取付けられている。
【００１６】
また、図２に示すように、このケース１の下面の一部には底面より一段奥まった凹部５が形成されており、この凹部５には、ＦＭ放送の受信周波数を設定する操作スイッチ１６（１６ａ，１６ｂ，１６ｃ）、周波数を表示する液晶表示部１７、出力アンプの増幅度を設定するボリューム１９が取付けられている。これら操作スイッチ１６や液晶表示部１７、ボリューム１９が底面の凹部５に取付けられているのは、受信周波数やボリュームのレベルを設定した後は、幼児などがいたずらして簡単にいじれないようにするためである。これにより、一度設定した後は、安心して連続使用できるものである。
【００１７】
メイン基板１０は、図３に示すように、ＦＭ受信部２１に接続され受信したＦＭ放送より緊急地震速報信号を検出する緊急地震速報検出部１１と、緊急地震速報検出部１１に接続され緊急地震速報信号を受信した場合に装置全体の動作を制御するＣＰＵ１２と、このＣＰＵ１２に接続され緊急地震速報信号を増幅してスピーカ２を駆動する出力アンプ１３と、前記緊急地震速報検出部１１に接続され緊急地震速報信号を受信した場合に赤色に点灯するＬＥＤ１４とを備えている。
【００１８】
また、このメイン基板１０には、ＦＭ放送を受信した場合に、受信中であることを青色の点灯で知らせるＬＥＤ表示灯１５がＣＰＵ１２に接続されており、同様にＣＰＵ１２に接続されてＦＭ放送の受信局を選択するための操作スイッチ１６が取付けられており、この操作スイッチ１６のアップダウンキー１６ａ，１６ｂにより所望の放送局を選択できるようになっている。そして、その周波数は液晶表示部１７に表示されるものである。この選択した周波数はセットボタン１６ｃでＣＰＵ１２に記憶されるものである。さらに、ボリューム１９は出力アンプ１３のレベルを設定するものである。
【００１９】
また、このメイン基板１０に接続されているＦＭ受信基板には、ＦＭ受信部２１を備えている。このＦＭ受信部２１は公知の回路で構成されたもので、アンテナ３で受信したＦＭ電波を高周波増幅するＲＦ回路、ＲＦ回路で増幅した高周波を中間周波数に変換するミキサー回路、中間周波数を増幅するＩＦ回路、中間周波数より音声信号に変換するための復調回路などを備えたものである。
【００２０】
また、このメイン基板１０の緊急地震速報検出部１１は、前記ＦＭ受信部２１で受信したＦＭ信号より緊急地震速報信号を検出するものである。この緊急地震速報検出部１１は、前記緊急地震速報信号に含まれるマーク信号およびスペース信号を識別し、復調された信号を２値化する２値化手段と、前記２値化手段が２値化した信号と、前記マーク信号と同じ周波数を有する周期信号との相互相関をとるマーク信号に関する相互相関手段と、前記２値化手段が２値化した信号と、前記スペース信号と同じ周波数を有する周期信号との相互相関をとるスペース信号に関する相互相関手段と、前記マーク信号に関する相互相関手段の出力信号の２乗値または絶対値と前記スペース信号に関する相互相関手段の出力信号の２乗値または絶対値とを比較する比較手段と、前記比較手段により比較した信号から緊急地震速報信号を検出する検出手段と、を備えたものである。
【００２１】
即ち、この緊急地震速報検出部１１は、図４に示すように、前記ＦＭ受信部２１で復調した音声信号をバンドパスフィルタ１１０を通すことにより必要な周波数成分のみに帯域制限し、この信号を２値化手段である＋−比較器１１１でデジタル信号に変換し、このデジタル信号をマーク信号に関する相互相関手段であるマーク信号検出回路１２０と、スペース信号に関する相互相関手段であるスペース信号検出回路１３０に入力するものである。
【００２２】
マーク信号検出回路１２０は、発信器１２１によりマーク信号周波数（１０２４［Ｈｚ］）の正弦波、余弦波、または矩形波、およびそれを９０度（π/２）移相器１２２を通して出力した９０度位相の異なる正弦波、余弦波、または矩形波をそれぞれ乗算器１２３、１２４により＋−比較器１１１の出力と乗算し、さらにそれぞれ１シンボル分加算器１２５、１２６により１シンボル期間（１/６４［ｓｅｃ］＝１５．６２５［ｍｓｅｃ］）加算することで相互関係をとり、１シンボル分加算器１２５、１２６の出力をそれぞれの２乗回路１２７、１２８でそれぞれ２乗し、それらを加算器１２９で加算するものである。なお、加算器１２５、１２６は１/２シンボル（１/１２８［ｓｅｃ］＝７．８１２５［ｍｓｅｃ］）でもよい。
【００２３】
同様に、スペース信号検出回路１３０は、発信器１３１によりスペース信号周波数（６４０［Ｈｚ］）の正弦波、余弦波、または矩形波、およびそれを９０度（π/２）移相器１３２を通して出力した９０度位相の異なる正弦波、余弦波、または矩形波をそれぞれ乗算器１３３、１３４により＋−比較器１１１の出力と乗算し、さらにそれぞれ１シンボル分加算器１３５、１３６により１シンボル期間（１/６４［ｓｅｃ］＝１５．６２５［ｍｓｅｃ］）加算することで相互関係をとり、１シンボル分加算器１２５、１２６の出力をそれぞれの２乗回路１３７、１３８でそれぞれ２乗し、それらを加算器１３９で加算するものである。
【００２４】
これらマーク信号検出回路１２０の加算器１２９により加算された信号と、スペース信号検出回路１３０の加算器１３９で加算された信号を比較器１４０で比較することにより２値信号を得る。そして、この２値信号を６４［ｂｉｔ/ｓ］符号検出器１４１に入力して緊急地震速報信号の符号パターンと比較照合することにより、緊急地震速報信号を検出するものである。
【００２５】
つぎに、上述のように構成された緊急地震速報受信装置の受信動作を図５に基づいて説明する。
まず、緊急地震速報受信装置に電源となるＡＣアダプタ４を接続し、ＡＣアダプタ４のプラグ４ａを図示しないコンセントに差し込む。すると、緊急地震速報受信装置は自動的に作動状態となり（ステップＳ１）、青色表示灯５が点滅する。（ステップＳ２）。
【００２６】
次いで、ステップＳ３において、受信局の選定を行う。受信局の選定を行うためには、図２に示す裏側の操作スイッチ１６を操作して行う。この操作スイッチ１６は、アップボタン１６ａとダウンボタン１６ｂ、およびセットボタン１６ｃから構成されている。このアップボタン１６ａとダウンボタン１６ｂを操作して、放送局の周波数を表示する液晶表示部を見ながら所望の放送局に合わせる。そして、ステップＳ４にて、アンテナ３の位置を調整することにより受信状態が良好な位置、即ち青色表示灯５が点灯状態となる位置に固定する。次いで、セットボタン１６ｃを押すことによりステップＳ５の待機状態となる。
【００２７】
この待機状態においては、緊急地震速報検出部１１はＦＭ受信部２１からの音声信号を前述したマーク信号周波数とスペース信号周波数でサンプリングを行うことにより監視を実行するものであり、ＣＰＵ１２はこの状態で出力アンプ１３をディセーブル動作状態にコントロールすることにより、無音状態とする。この待機状態では、消費電力も装置全体で僅か０．８Ｗしか消費しないので、出願時点における電気代に換算しても約８．６円（１ヶ月当たり）にしかならず、待機状態における消費電力は問題となるレベルではない。
【００２８】
次に、この待機状態において、緊急地震速報が受信されると、ステップＳ６に移る。このステップ６においては、緊急地震速報検出部１１が緊急地震速報信号を検出し、即座に赤色ＬＥＤ表示灯１４点灯させる（ステップＳ７）。そして、この赤色ＬＥＤ表示灯１４の点灯を１分間継続する。また、緊急地震速報検出部１１は緊急地震速報信号を検出するとＣＰＵ１２にもその信号を割り込み情報として送る。するとＣＰＵ１２は、この割り込み情報により、出力アンプ１３をイネーブル動作とし、音声増幅回路１８からの緊急地震速報信号の警告音を拡声してスピーカ２より流すものである（ステップＳ８）。
【００２９】
次いで、ステップＳ９に移り、ステップＳ７におけるＬＥＤ点灯とステップＳ８のスピーカよりの警告音が１分間続いたかどうかのチェックが行われる。この条件をクリアすればステップＳ１０の待機状態に移り、条件を満足しない場合は、それぞれステップＳ７またはステップＳ８にもどり、それぞれの動作を繰り返すものである。
【００３０】
本考案の緊急地震速報受信装置は上述のように構成されたので、電源を接続するだけで自動的に動作することができ、しかも連続して使用しても何ら不都合が発生せず、安心して使用でき、受信機能を単一化することにより極めてその処理が早く、しかも性能を損なうことない緊急地震速報受信装置とすることができるものである。
【符号の説明】
【００３１】
１は本体ケース
２はスピーカ
３はアンテナ
４はＡＣアダプタ
５は凹部
１０はメイン基板
１１は緊急地震速報検出部
１２はＣＰＵ
１３は出力アンプ
１４は赤色ＬＥＤ表示灯
１５は青色ＬＥＤ表示灯
１６は操作スイッチ
１７は液晶表示部
１８は音声信号増幅回路
１９はボリューム
２０はＦＭ受信基板
２１はＦＭ受信部
１２０はマーク信号検出回路
１３０はスペース信号検出回路
１４０は比較器
【図１】
0003154579.tif 000003
【図２】
0003154579.tif 000004
【図３】
0003154579.tif 000005
【図４】
0003154579.tif 000006
【図５】
0003154579.tif 000007